(57)【要約】  クリップを車内装部品に取り付けるためのクリップ取付座が開示されている。クリップは、円柱状軸部を有している。クリップ取付座はクリップ着座部を有し、このクリップ着座部は、クリップの軸部を受け入れ保持可能な係止孔と、クリップ着座部の側部より係止孔に向かって伸びて、クリップの軸部をスライド挿入させることが可能で且つクリップの軸部を係止孔内にガイドするよう機能するテーパー付きスリットを構成している一対のガイド縁部を備えている。ガイド縁部の少なくとも一方が、それの内端から係止孔内へ突出した張出し片を備えている。
2011516325.tif 000002
【特許請求の範囲】
【請求項１】
円柱状軸部を有するクリップを車内装部品に取り付けるためのクリップ取付座であって、クリップ着座部を有し、該クリップ着座部が、前記クリップの前記円柱状軸部を受け入れ保持可能な係止孔と、前記クリップ着座部の側部より前記係止孔に向かって伸びて、前記クリップの前記円柱状軸部をスライド挿入させることが可能で且つ前記クリップの前記円柱状軸部を前記係止孔内にガイドするよう機能するテーパー付きスリットを構成している一対のガイド縁部を備え、前記テーパー付きスリットが、前記クリップの前記円柱状軸部の外径よりも狭い寸法の内端を有し、前記係止孔が、前記ガイド縁部の内端から連続して形成され且つ前記クリップの前記円柱状軸部の外径よりも大きな直径を有する略円形に形成されているクリップ取付座において、
前記一対のガイド縁部の少なくとも一方が、それの内端から前記係止孔内へ突出した張出し片を備え、該張出し片が、前記クリップの前記円柱状軸部と面接触可能な幅を備えた突端面を有していることを特徴とするクリップ取付座。
【請求項２】
前記一対のガイド縁部の各々が、前記張出し片を備えていることを特徴とする、請求項１に記載のクリップ取付座。
【請求項３】
前記張出し片の前記突端面が、前記クリップの前記円柱状軸部の周側面にフィットするように円弧状に形成されていることを特徴とする、請求項１に記載のクリップ取付座。
【請求項４】
前記張出し片の前記突端面が、前記クリップの前記円柱状軸部の周側面にフィットするように円弧状に形成されていることを特徴とする、請求項２に記載のクリップ取付座。
【請求項５】
請求項１又は２に記載のクリップ取付座を複数備えていることを特徴とする車内装部品。
【請求項６】
請求項３又は４に記載のクリップ取付座を複数備えていることを特徴とする車内装部品。
【発明の詳細な説明】
【技術分野】
【０００１】
本発明は、主に、車内装部品を車体パネルに対接固定するのに用いられるクリップを車内装部品の内側面に取り付けるのに用いられるクリップ取付座に関するものである。
【背景技術】
【０００２】
一般に、ドアライニングやリアコーナーパネル等の車内装部品においては、アンカー状のクリップを車内装部品の内面側に複数個備え付け、各クリップを車体パネルのパネル面に設けた止め穴に圧入嵌着させることにより、車内装部品を車体パネルに対接固定することが行われている。
【０００３】
より詳述すると、クリップは、車内装部品の内面側に設けられたクリップ取付座を介して車内装部品の内面側に設けられる。車内装部品のクリップ取付座は、クリップが据え付けられる着座部（以下、「クリップ着座部」という。）を有している。クリップは、基部と該基部から突出した先端部とを有している。クリップは、その基部が車内装部品のクリップ着座部に据え付けられた状態で車内装部品の内面側に取り付けられ、そのように車内装部品に設けられたクリップの先端部を車体パネルの止め穴に圧入嵌着させることにより、車内装部品は車体パネルに対接固定される。
【０００４】
ここで、本発明の理解を容易にするべく、図８及び９を参照して、従来のクリップ取付座について説明する。図８に示されているように、従来のクリップ取付座は、クリップ（図示せず）が据え付けられるクリップ着座部１を有し、このクリップ着座部１は、クリップの円柱状軸部を受け入れ保持可能な係止孔１１と、クリップの円柱状軸部がスライド移動可能で、クリップの円柱状軸部を係止孔１１内にガイドすることを可能にさせるガイド縁部１０ａ，１０ｂを有している。
【０００５】
ガイド縁部１０ａ，１０ｂは、クリップ着座部１の側部より内方へ伸びてクリップの円柱状軸部の外径よりも狭い寸法の内端を有するテーパー付きスリットを構成している。係止孔１１は、車内装部品を車体パネルに組み付ける時に、クリップを車体パネルの対応の止め穴に位置的に合わせるようにクリップをズラすことを可能にさせるために、クリップの円柱状軸部の外径よりも大きな直径を有する略円形に形成されている。また、係止孔１１は、ガイド縁部１０ａ，１０の内端から連続して形成されている。
【０００６】
上述したように構成された従来のクリップ取付座を介して車内装部品に取り付けられたクリップは、車内装部品の搬送中に及び／又は車体パネルに対する車内装部品の組み付け時に、車内装部品から脱落し易い。そのようなクリップの脱落は、クリップをクリップ取付座の着座部から離脱させるような（図９において矢印で示した）Ｘ方向の荷重がクリップに付加された時に、その荷重がガイド縁部１０ａ，１０ｂの内端縁の一点に集中して、ガイド縁部を開成させてしまうことにより齎される。
【０００７】
また、図１０と図１１に示されたようなクリップ取付座も提案されている。これらクリップ取付座はクリップ着座部１’、１’’を有し、それらクリップ着座部１’、１’’は、係止孔１１’、１１’’と、ガイド縁部１０ａ’，１０ｂ’、１０ａ’’，１０ｂ’’とを有している。これらクリップ着座部１’、１’’においては、係止孔１１’、１１’’からガイド縁部１０ａ’，１０ｂ’、１０ａ’’に沿って伸びるように切欠部１３’、１３’’を設けることにより、ガイド縁部１０ａ’，１０ｂ’、１０ａ’’が弾発変形可能な板バネ状のアームとして機能するよう構成されている（特許文献１，２）。
【０００８】
これら従来のクリップ取付座の各々においては、クリップの円柱状軸部をガイド縁部１０ａ’，１０ｂ’（又は１０ａ’’，１０ｂ’’）に沿ってスライドさせて、係止孔１１’（又は１１’’）内に簡単にガイド挿入させることができる。然しながら、これら従来のクリップ取付座においても、クリップを係止孔１１’（又は１１’’）から離脱させるような方向の荷重がクリップに付加されて、ガイド縁部１０ａ’，１０ｂ’（又は１０ａ’’，１０ｂ’’）の内端縁に集中した時に、ガイド縁部１０ａ’，１０ｂ’（又は１０ａ’’，１０ｂ’’）が相互に開成し易い。従って、これら従来のクリップ取付座は、クリップがクリップ取付部１’、１’’から脱落するのを防止する機能を発揮することができない。また、切欠部１３’、１３’’がクリップ着座部１’、１’’を切除することにより形成されているので、ガイド縁部１０ａ’，１０ｂ’、１０ａ’’が欠損し易くなり、クリップ着座部１’、１’’の剛性が低減してしまう。
【特許文献１】実開昭５２−１３７４１１号公報
【特許文献２】特開平６−２７０６７５号公報
【発明の開示】
【発明が解決しようとする課題】
【０００９】
本発明は、従来のクリップ取付座に関する上述の問題点を克服する目的で完成されたものである。
【００１０】
従って、本発明は、クリップの円柱状軸部を受け入れ保持するための係止孔とクリップの円柱状軸部がスライド移動して係止孔内にガイドされることを可能にさせるガイド縁部とを備えたクリップ着座部を有するクリップ取付座であって、クリップ着座部の剛性を低下させることがないばかりでなく、クリップ着座部からのクリップの脱落を確実に阻止することの可能なクリップ取付座を提供することを課題とする。
【００１１】
本発明の別の課題は、上述したクリップ取付座を複数備えた車内装部品を提供することにある。
【課題を解決するための手段】
【００１２】
本発明の一側面に依れば、クリップを車内装部品に取り付けるためのクリップ取付座が得られる。クリップは円柱状軸部を有している。クリップ取付座はクリップ着座部を有し、このクリップ着座部は、クリップの円柱状軸部を受け入れ保持可能な係止孔と、クリップ着座部の側部より係止孔に向かって伸びて、クリップの円柱状軸部をスライド挿入させることが可能で且つクリックの円柱状軸部を係止孔内にガイドするように機能するテーパー付きスリットを構成している一対のガイド縁部を有している。テーパー付きスリットは、クリップの円柱状軸部の外径よりも狭い寸法の内端を有している。係止孔は、ガイド縁部の内端から連続して形成され且つクリップの円柱状軸部の外径よりも大きな直径を有する略円形に形成されている。一対のガイド縁部の少なくとも一方は、それの内端から係止孔内へ突出した張出し片を備えている。この張出し片は、クリップの円柱状軸部と面接触可能な幅を備えた突端面を有している。
【００１３】
上述したように構成された本発明に係るクリップ取付座においては、ガイド縁部の少なくとも一方が該ガイド縁部の内端から係止孔内へ突出した張出し片を備え、その張出し片がクリップの円柱状軸部と面接触可能な幅を備えた突端面を有しているので、クリップが、クリップ着座部の係止孔から外れる方向に付加される荷重よって動かされたとしても、張出し片が突端面でクリップの円柱状軸部に面接触し、そのクリップの抜け荷重を張出し片で確実に受けて分散させることができると共に、クリップが、張出し片を備えていないガイド縁部寄りの係止孔の領域にズレて、そのガイド縁部の内端と点接触しないことから、ガイド縁部が開き難くなる。こうして、クリップ着座部の剛性を損なうことなく、クリップがクリップ取付座から脱落するのを阻止することができる。
【００１４】
ガイド縁部の双方が、張出し片を備えていてもよい。この場合には、クリップの抜け荷重がクリップに付加されることによりクリップが動かされたとしても、それら双方の張出し片の突端面がクリップの円柱状軸部に面接触し、それら張出し片が該クリップの抜け荷重を受けて、それをより効果的に分散させることができるので、ガイド縁部が開くのを確実に防止することができる。
【００１５】
張出し片の突端面は、クリップの円柱状軸部の周側面にフィットするように円弧状に形成することができる。この場合には、張出し片はクリップの円柱状軸部の周側面に確実にフィットすることができる。
【００１６】
本発明の別の側面に依れば、上述したクリップ取付座を複数備えた車内装部品が得られる。この車内装部品は、何らの不都合もなく搬送することができるばかりでなく、また、何らの不都合もなく車体パネルに対する組み付けも簡単に実施することができる。
【図面の簡単な説明】
【００１７】
【図１】図１は、本発明に係るクリップ取付座が複数設けられたドアライニングの斜視図である。
【図２】図２は、図１に示したＡ−Ａ線に沿った図１のドアライニングの概略的断面図である。
【図３】図３は、本発明に係るクリップ取付座の側面図である。
【図４】図４は、図３に示したクリップ取付座の拡大部分側面図である。
【図５】図５は、クリップ取付座からのクリップの脱落を阻止する状態を説明するための、図３に示したクリップ取付座の側面図である。
【図６】図６は、図３に示したクリップ取付座の変形例の拡大部分側面図である。
【図７】図７は、図３に示したクリップ取付座の更に別の変形例を示した概略的側面図で、その変形例に係るクリップ取付座からのクリップの脱落を阻止する状態を説明するための図である。
【図８】図８は、従来のクリップ取付座の側面図である。
【図９】図９は、図８に示した従来のクリップ取付座の側面図で、クリップ取付座からのクリップの脱落状態を説明するための図である。
【図１０】図１０は、別の従来例に係るクリップ取付座の側面図である。
【図１１】図１１は、更に別の従来例に係るクリップ取付座の側面図である。
【発明を実施するための形態】
【００１８】
図１及び２を参照すると、車内装部品Ｒ、例えば、ドアライニングが図示されている。このドアライニングＲにおいては、ドアライニングＲを、車体パネル、例えば、ドアパネルＰのパネル面に対接固定させるために用いられる複数のアンカー状クリップを夫々支持するための、本発明に係る複数のクリップ取付座Ｆが、ドアライニングＲの内面の上縁部を除く周縁に沿って所定の間隔を隔てて配置されている。
【００１９】
図２に示したように、クリップ取付座Ｆの各々（図２には一つのクリップ取付座Ｆのみが図示されている。）は、クリップ着座部１と、ドアライニングＲの内面から起立して、クリップＣの基部の一部が収容されるスペースＳを区画している周壁部２と、スペースＳの底部プレートｓ１から立ち上って、クリップＣの基部を受止め支持するための立上りリブ３を有している。また、クリップ取付座Ｆのクリップ着座部１には、係止孔１１が形成されている。図示の実施形態においては、ドアライニングＲとクリップ取付座Ｆとは、例えば、ポリプロピレン樹脂等からインジェクション成形によって一体的成形されている。
【００２０】
クリップＣの各々（図２には一つのクリップＣのみが図示されている。）は、基部と該基部より突出したアンカー状の先端部ｃ４とを有し、クリップＣの基部は、円柱状軸部ｃ１と、第一の鍔部ｃ２と、円柱状軸部ｃ１を介して第一の鍔部ｃ２と接続された第二の鍔部ｃ３を有している。クリップＣは、円柱状軸部ｃ１がクリップ取付座Ｆの係止孔１１内に受け入れ保持され、第一の鍔部ｃ２がクリップ取付座Ｆのクリップ着座部１上に据え付けられ、第一の鍔部ｃ２と第二の鍔部ｃ３とがクリップ着座部１を挟み、第二の鍔部ｃ３がクリップ取付座Ｆの立上りリブ３で受止め支持された状態で、クリップ取付座Ｆを介してドアライニングＲの内側面に取り付けられるようになっている。クリップ取付座Ｆを介してクリップＣが内側面に取り付けられたドアライニングＲは、ドアパネルＰに形成された貫通孔ｐ１にクリップＣのアンカー状先端部ｃ４を圧入嵌着させることにより、ドアパネルＰに対接固定される。
【００２１】
本発明によるクリップ取付座Ｆのクリップ着座部１は、図８に示したクリップ取付座のクリップ着座部と基本的に類似している。ここで、図３を参照すると、本発明に係るクリップ取付座Ｆのクリップ着座部１が図示されている。図３においては、図８に示したクリップ着座部の構成要素と実質的に類似した、本発明に依るクリップ取付座のクリップ着座部の構成要素は、図８に示したクリップ着座部の構成要素に関して用いた参照符号と同じ参照符号を用いて図示されている。図３に示されているように、本発明に係るクリップ取付座Ｆのクリップ着座部１は、側面視で略Ｕ字状に形成されて、クリップＣの円柱状軸部ｃ１を受け入れ保持可能な係止孔１１と、係止孔１１に向かって伸びて、クリップＣの円柱状軸部ｃ１が沿ってスライド移動可能で且つクリップＣの円柱状軸部ｃ１を係止孔１１内に案内させることの可能な一対のガイド縁部１０ａ，１０ｂを有している。
【００２２】
ガイド縁部１０ａ，１０ｂは、クリップ着座部１の側部よりクリップ着座部１の内方へ伸びて、クリップＣの軸部ｃ１の外径よりも狭い寸法の内端を有するテーパー付きスリットを構成している。係止孔１１は、クリップＣの軸部ｃ１の外径よりも大きな直径を有する略円形に形成され、ガイド縁部１０ａ，１０ｂの内端から連続して形成されている。
【００２３】
上述した基本的構成に加えて、本発明によるクリップ取付座Ｆのクリップ着座部１は、ガイド縁部１０ａ，１０ｂの内端から係止孔１１内に突出した張出し片１２ａ，１２ｂを有している。張出し片１２ａ，１２ｂは、夫々、突端面を有し、その突端面は、突端面がクリップの軸部ｃ１の周側面と面接触可能な幅を有している。また、張出し片１２ａ，１２ｂの各々は、それの片側辺が対応のガイド縁部１０ａ又は１０ｂから直線状に伸びるように形成されている。図４に示されているように、張出し片１２ａ，１２ｂの突端面は、クリップの円柱状軸部ｃ１の周側面にフィットするように円弧状に形成されている。
【００２４】
上述したように構成されたクリップ取付座においては、クリップを係止孔１１から脱落させてガイド縁部１０ａ，１０ｂに沿ってスライド移動させるような（図５中に矢印で示した）Ｘ方向に付加される荷重によってクリップが動かされたとしても、張出し片１２ａ，１２ｂがクリップの軸部ｃ１と突端面で面接触することにより、そのクリップの抜け荷重を張出し片１２ａ，１２ｂが効果的に受けて分散させるので、ガイド縁部１０ａ，１０ｂが開いてしまうのを確実に防止することができる。こうして、クリップ着座部１の剛性を低下させることなく、クリップ着座部１からのクリップの脱落を防止することができる。
【００２５】
張出し片１２ａ，１２ｂは、それらの突端面においてクリップの円柱状軸部ｃ１の周側面と面接触することができるものであれば、その片側辺が、ガイド縁部１０ａ，１０ｂの内端より直線状に伸びるように形成せずに、図６に示したように、ガイド縁部１０ａ，１０ｂの内端から係止孔１１に向かって傾斜した傾斜部１３ａ，１３ｂを有するように形成することができる。この場合には、ガイド縁部１０ａ，１０ｂの内端間の間隔を必要以上に狭めさせないようにすることができる。
【００２６】
張出し片はガイド縁部１０ａ，１０ｂの双方の内端に設けるのが好ましいが、張出し片１２ａと張出し片１２ｂを、ガイド縁部１０ａの内端とガイド縁部１０ｂの内端に夫々設ける必要性は必ずしもない。図７に示したように、張出し片１２をガイド縁部１０ａ，１０ｂの何れか一方に設けるだけでもよい（図７に示した実施例においては、張出し片１２が、ガイド縁部１０ａの内端にのみ設けられている。）。この場合でも、クリップを係止孔１１から抜けさせる方向へ荷重が付加されてクリップが動かされたとしても、張出し片１２が、それの突端面でクリップの円柱状軸部ｃ１と面接触することによりクリップの抜け荷重を受けて該荷重を分散させると共に、クリップが、張出し片の設けられていないガイド縁部１０ｂ寄りの係止孔１１の領域にズレてガイド縁部１０ｂの内端と点接触しないため、ガイド縁部１０ａ，１０ｂが開き難くなる。
【００２７】
上述したように、ドアライニングＲ（図１）がクリップの脱落を防ぐことのできるクリップ取付座Ｆを介して内面側に取り付けられたクリップを有しているので、ドアライニングＲを何らの不都合を伴うことなく搬送することができ、また、ドアパネルＰ（図１）のような車体パネルに対するドアライニングの組み付けも、何らの不都合を伴うことなく実施することができる。
【００２８】
尚、側面視において略Ｕ字状の形状を有するクリップ着座部１について上述したが、クリップ着座部１の形状は、側面視で略四角形を呈するものであってもよい。また、クリップ取付座Ｆは、車内装部品の内面から立ち上る周壁部２を有しているが、その周壁部２に代えて、車内装部品の内面から立ち上る一対の対向したプレートを有していてもよい。この場合には、一対の対向したプレートはクリップ着座部１と底部プレートｓ１とによって相互に連結される。また、クリップ取付座全体をドアライニングと一体成形した場合について上述したが、ドアライニングと別体に形成したクリップ取付座をドアライニングに装着するよう構成してもよい。
【００２９】
本明細書中で用いた用語及び表現は、本発明を説明するために便宜上用いたに過ぎないものであって、本発明を何ら限定するものではない。そのような用語及び表現を用いたからと言って、本明細書中に開示された本発明の均等物又はその部分を何ら排除するものではない。特許請求の範囲に記載された本発明の要旨を逸脱しない範囲内において、上述した実施形態に様々な変更を加えることができるものと認められる。
【図１】
2011516325.tif 000003
【図２】
2011516325.tif 000004
【図３】
2011516325.tif 000005
【図４】
2011516325.tif 000006
【図５】
2011516325.tif 000007
【図６】
2011516325.tif 000008
【図７】
2011516325.tif 000009
【図８】
2011516325.tif 000010
【図９】
2011516325.tif 000011
【図１０】
2011516325.tif 000012
【図１１】
2011516325.tif 000013
【国際調査報告】
2011516325.tif 000014